(57)【要約】  【課題】  電話回線を使用して、端末装置のリモート制御を行う場合、センター装置以外の電話機やパソコンなどの端末からの悪戯や悪意の侵入を受ける恐れがあった。  【解決手段】  電話回線に接続される端末装置とセンター装置を備え、ダイヤルトーンによるコマンドを使用して、一方が他方を制御する電話リモート制御システムにおいて、ダイヤルトーンを送受信するたびに、コマンドの送信側と受信側の少なくとも一方が切断信号を送信して電話回線を切断する。【選択図】  図２
2005045708.tif 000002
【特許請求の範囲】
【請求項１】
電話回線に接続される端末装置と電話回線に接続されるセンター装置を備え、ダイヤルトーンによるコマンドを使用して、一方が他方を制御する電話リモート制御システムであって、
ダイヤルトーンによるコマンドを送信、受信、または、送受信するたびに、電話回線を切断するための切断信号を発生する切断信号発生部をセンター装置と端末装置の少なくとも一方に設けた電話リモートシステム。
【請求項２】
ダイヤルトーンによるコマンドの送信側と受信側の少なくとも一方が前記切断信号発生部より切断信号を送信することを特徴とする請求項１記載の電話リモート制御システム。
【請求項３】
ダイヤルトーンによるコマンドの正常受信、異常受信にかかわらずコマンド受信後に、受信側と送信側の少なくとも一方が前記切断信号発生部より切断信号を送信することを特徴とする請求項１または請求項２いずれか記載の電話リモート制御システム。
【請求項４】
ダイヤルトーンによるコマンドの受信後、所定のインターバルタイムがない場合に異常受信応答を行う応答発信部をセンター装置と端末装置の少なくとも一方に設けたことを特徴とする請求項１から請求項３いずれか記載の電話リモート制御システム。
【請求項５】
請求項１から請求項４いずれか記載の電話リモート制御システムにおける、前記切断信号発生部を備えた端末装置。
【請求項６】
請求項１から請求項４いずれか記載の電話リモート制御システムにおける、前記切断信号発生部を備えたセンター装置。
【請求項７】
電話回線に接続される端末装置と電話回線に接続されるセンター装置を具備する電話リモートシステムにおいて、ダイヤルトーンによるコマンドを使用して、電話回線に接続される端末装置とセンター装置の少なくとも一方が他方を制御する電話リモート制御方法であって、
ダイヤルトーンによるコマンドを送信、受信、または、送受信するステップと、前記送信、受信、または、送受信のいずれかの手順後に電話回線を切断するステップを有する電話リモート制御方法。
【請求項８】
ダイヤルトーンによるコマンドの送信側と受信側の少なくとも一方が切断信号を送信するステップを含むことを特徴とする請求項７記載の電話リモート制御方法。
【請求項９】
ダイヤルトーンによるコマンドの正常受信、異常受信にかかわらずコマンド受信後に受信側と送信側の少なくとも一方が切断信号を送信するステップを含むことを特徴とする請求項７または請求項８いずれか記載の電話リモート制御方法。
【請求項１０】
ダイヤルトーンによるコマンドの受信後、所定のインターバルタイムがない場合に異常受信応答を行うステップを含むことを特徴とする請求項７から請求項９いずれか記載の電話リモート制御方法。
【請求項１１】
コンピュータに、ダイヤルトーンによるコマンドを送信、受信、または、送受信するステップと、前記送信、受信、または、送受信のいずれかの手順後に電話回線を切断するステップを実行させるためのプログラム。
【発明の詳細な説明】
【技術分野】
【０００１】
本発明は、電話回線を介して機器の操作や制御を行う電話リモート制御システムおよび制御方法等に関する。
【背景技術】
【０００２】
従来、電話回線を介して機器の操作や制御を行うリモート制御システムや制御方法については、種々のものが知られている。例えば、預金者が電話回線を介して、銀行に振込みを依頼する場合、預金者が加入銀行のオンラインサービスの電話番号に電話を掛け、加入者番号や暗証番号などを、音声指示に従ってプッシュフォン入力し、認証が済めば、さらに、振込先口座番号や振込み金額などを、指示手順に従って、入力することにより、銀行側のコンピュータに所望の振込み処理を行わせるシステムが知られている（特許文献１参照）。
【特許文献１】特開２００２−１３３１０１号公報（第１頁、第６図等）
【発明の開示】
【発明が解決しようとする課題】
【０００３】
上記のような従来技術において、操作を起動する預金者側の電話機は、通常のプッシュフォン電話機でよく、特別の装置を必要としないが、操作される銀行側のシステムでは、電話のダイヤルトーンの形で送られてくる情報に対して、誤り制御、暗号化復号化、認証などの複雑な処理を行うことにより、外部からの悪戯や悪意の侵入に対する防御対策が欠かせない。預金者のように多数の側から一つのセンターのシステムを制御する形の場合は、センターが元々大規模なシステムであるので、複雑な処理を行えるようにすることが比較的容易であるが、逆に、一つのセンター側から、多数の端末装置のそれぞれに対して制御や操作を行うシステムでは、悪戯や悪意の侵入に対する防御対策を各端末装置に設ける必要があり、端末装置にとっては、負担が大きかった。
【０００４】
本発明は、簡単な仕組みにより、悪戯や悪意の侵入に対する防御対策を施せる電話リモート制御システム、装置および制御方法を提供することを目的とする。
【課題を解決するための手段】
【０００５】
上記の課題を解決するために、本発明の電話リモート制御システム、装置および制御方法は、以下のような手段およびステップを採用する。
（１）電話回線に接続される端末装置とセンター装置を備え、ダイヤルトーンによるコマンドを使用して、一方が他方を制御する電話リモート制御システムであって、ダイヤルトーンによるコマンドを送信、受信、または、送受信するたびに、電話回線を切断する電話リモートシステムとすることにより、悪戯を防止できる。
（２）ダイヤルトーンによるコマンドの送信側と受信側の少なくとも一方が切断信号を送信することを特徴とする（１）に記載の電話リモート制御システムとすることにより、簡単に悪戯を防止できる。
【０００６】
（３）ダイヤルトーンによるコマンドの正常受信、異常受信にかかわらずコマンド受信後に、受信側と送信側の少なくとも一方が切断信号を送信することを特徴とする（１）〜（２）記載の電話リモート制御システムとすることにより、悪戯などの異常に対処できる。
（４）ダイヤルトーンによるコマンドの受信後、所定のインターバルタイムがない場合に異常受信応答を行う応答発信部を設けたことを特徴とする（１）〜（３）記載の電話リモート制御システムとすることにより、悪戯を防止できる。
（５）（１）〜（４）記載の電話リモート制御システムにおける、前記切断信号発生部を備えた端末装置を用いる。
（６）（１）〜（４）記載の電話リモート制御システムにおける、前記切断信号発生部を備えたセンター装置を用いる。
【０００７】
（７）電話回線に接続される端末装置とセンター装置を具備する電話リモートシステムにおいて、ダイヤルトーンによるコマンドを使用して、一方が他方を制御する電話リモート制御方法であって、
ダイヤルトーンによるコマンドを送信、受信、または、送受信するステップと、前記送信、受信、または、送受信のいずれかの手順後に電話回線を切断するステップを有する電話リモート制御方法を適用する。
（８）ダイヤルトーンによるコマンドの送信側と受信側の少なくとも一方が切断信号を送信するステップを含むことを特徴とする（７）記載の電話リモート制御方法を適用する。
【０００８】
（９）ダイヤルトーンによるコマンドの正常受信、異常受信にかかわらずコマンド受信後に受信側と送信側の少なくとも一方が切断信号を送信するステップを含むことを特徴とする（７）〜（８）記載の電話リモート制御方法を適用する。
（１０）ダイヤルトーンによるコマンドの受信後、所定のインターバルタイムがない場合に異常受信応答を行うステップを含むことを特徴とする（７）〜（９）記載の電話リモート制御方法を適用する。
【発明の効果】
【０００９】
以上のように、本発明によれば、
（１）コマンドの送受信毎に電話回線を切断するようにしたので、長時間回線接続されなくなり、悪戯や悪意の侵入を防止することができる。
【００１０】
（２）長時間電話回線を占有する必要がなくなる。
【発明を実施するための最良の形態】
【００１１】
以下、本発明の電話リモート制御システム、装置および制御方法の実施形態について図面を参照して説明する。なお、以下の各実施の形態の説明において、同じ構成要素には同じ番号を付与し、再度の説明を省く場合がある。
【００１２】
（実施の形態１）
図１は、本発明の電話リモート制御システムに使用する端末装置とセンター装置の基本的な構成図である。
【００１３】
図１において、本発明の端末装置１００は、回線接続部１０、受信処理部１１、送信処理部１２、判定制御部１３を備えている。回線接続部１０は、一般電話回線に接続される。端末装置１００は、周知の電話機能を有しており、ハンドセットとダイヤル操作部（図示しない）を使用した電話器のフックオフと電話番号の入力操作により、判定制御部１３が、発呼信号や相手の電話番号に対応したダイヤルトーン信号を生成して、送信処理部１２と回線接続部１０を介して送出し、交換機が電話回線を形成して、相手の電話機と音声電話通信を行うことができる。また、表示部を有し、ダイヤル操作部の操作により、電子メールやインターネットなどのデータ通信の機能を実行できるようなものでもよい。
【００１４】
本発明の電話リモート制御システムでは、遠隔地にあるセンター装置２００から、端末装置１００に電話をかけることにより、端末装置１００の故障診断、機能の検査、使用状態の確認などを行うことができる。図１に示すセンター装置２００は、回線接続部１５、送信処理部１６、受信処理部１７、判定制御部１８を備えている。回線接続部１５は、一般電話回線に接続され、回線接続部１０と回線接続部１５は、電話回線の交換機により接続可能になっている。センター装置２００は、端末装置１００をリモート制御する際、判
定制御部１８が、発呼信号やダイヤルトーン信号を生成して、送信処理部１６と回線接続部１５を介して送出し、交換機が電話回線を形成して、相手の端末装置１００との間でダイヤルトーンを使用したコマンドの通信を行うことができ、センター装置２００からのコマンドにより、端末装置１００の故障診断、機能の検査、使用状態の確認などが行われる。
【００１５】
このために、センター装置２００の判定制御部１８は、図２に示すように、上位処理部３０、発呼部３１、コマンド送信部３２、切断信号発生部３３、Ｔｍａｘ検出部３４、発呼検出部３５、および応答受信部３６を備えている。
【００１６】
発呼部３１は、上位処理部２７の指示により、端末装置１００を宛先にして発呼信号を生成し、送信処理部１６より回線接続部１５を介して送出する。より具体的には、まず発呼信号を交換機に送り、つぎに宛先である端末装置１００の電話番号を交換機に送り、交換機に端末装置１００を呼び出させる。電話回線が形成されると、コマンド送信部３２は、上位処理部２７の指示により、必要なコマンドをダイヤルトーンの形式で発生させ、送信処理部１６より回線接続部１５を介して送出する。切断信号発生部３３は、上位処理部２７の指示により、切断信号を発生させ送信処理部１６より回線接続部１５を介して送出する。Ｔｍａｘ検出部３４は、後述するインターバルタイムが最大時間Ｔｍａｘより大きいかどうかを判定する。発呼検出部３５は、回線接続部１５、受信処理部１６を介して、端末装置１００からの発呼信号とセンター装置２００の電話番号に対応した交換機からの呼出信号を受信、検出し、上位処理部３０に知らせる。また、発呼検出部３５は、交換機からの切断信号を受信する場合、これを検出し、上位処理部３０に知らせる。応答受信部３６は、端末装置１００からの交換機経由の応答信号を受信し、上位処理部３０に知らせる。
【００１７】
一方、端末装置１００の判定制御部１３は、図２に示すように、上位処理部２０、発呼検出部２１、コマンド受信部２２、Ｔｍａｘ検出部２３、応答発信部２４、切断信号発生部２５を備えている。
【００１８】
発呼検出部２１は、センター装置２００が交換機に送出した発呼信号と端末装置１００の電話番号とに対応した交換機からの呼出信号を受信し、上位処理部２０に呼出信号の受信を知らせる。また、発呼検出部２１は、切断信号を受信する場合、これを検出し、上位処理部２０に知らせる。
【００１９】
コマンド受信部２２は、センター装置２００からの後述するようなコマンドを受信し、上位処理部２０に受信したコマンドを渡す。Ｔｍａｘ検出部２３は、後述するインターバルタイムが最大時間Ｔｍａｘより大きいかどうかを判定する。応答発信部２４は、上位処理部２０の指示により所定の応答信号を生成し、送信処理部１２より送出する。必要な場合は、上位処理部２０の指示により発呼信号を生成し、送信処理部１２より送出する。切断信号発生部２５は、上位処理部２０の指示により電話回線の切断信号を生成し、送信処理部１２より送出する。
【００２０】
図３は、本発明による、端末装置１００とセンター装置２００との間の通信手順を説明するフロー図である。なお、センター装置２００と端末装置１００の間には、交換機が介在しており、交換機がセンター装置２００からの信号や情報を変換して端末装置１００に伝える場合があるが、信号や情報の意味は本質的に変わることはないので、図３とその説明では、交換機については、必要な場合を除き省略して説明することがある。
【００２１】
図３において、センター装置２００が、端末装置１００をリモート制御する場合、まず、（Ｓ３００）において、図２に示した発呼部３１から発呼信号と端末装置１００の電話番号を送出する。端末装置１００には、発呼信号と端末装置１００の電話番号とが呼出信号の形で送られる。端末装置１００は、発呼検出部２１により、コール回数を計数し、（
Ｓ３０１）において、３回のコール受信を確認すると、（Ｓ３０２）において、応答発信部２４からダイヤルトーンを返信する。返信するダイヤルトーンとしては、受信準備完了を表すダイヤルトーンなどでよい。以上により、リモート制御用の電話回線が確立される。センター装置２００の応答受信部３６は、（Ｓ３０３）において、リモート制御のための回線接続成功を確認、認知する。その後、センター装置２００の上位処理部３０は、（Ｓ３０４）において、端末装置１００を制御するための複数のコマンドから所望のコマンドを選択して、コマンド送信部３２においてダイヤルトーンに変換し、送信処理部１６、回線接続部１５、一般電話回線を介して端末装置１００に送信する。コマンドは、後述するような、所定のプロトコルに従ったものである。たとえば、図７で後述するような、３桁以上の数字をダイヤルトーンで送信する。
【００２２】
その後、すぐに次のコマンドや信号を送らず、インターバルタイムＴｍａｘを超える所定の時間の空白を設ける。端末装置１００のコマンド受信部２２は、（Ｓ３０５）において、ダイヤルトーン信号を受信し、その後にインターバルタイムＴｍａｘを超える所定の時間の空白がある場合、上位処理部２０は、受信したダイヤルトーン信号をコマンドと解釈して、（Ｓ３０６）において、コマンドを正常受信した旨の応答を応答発信部２４によりセンター装置２００に返信する。この正常受信完了もダイヤルトーンの所定の数字で表される。センター装置２００のコマンド受信部３２が応答を受信し、上位処理部３０が、（Ｓ３０７）において、正常受信完了を確認すると、（Ｓ３０８）に進み、切断信号発生部３３により切断信号を送信する。端末装置１００では、発呼検出部２１が切断信号を受信すると、これに対応して、（Ｓ３０９）において、端末装置１００は、切断信号発生部２５より切断信号を送信する。
【００２３】
以上で、一つのコマンドの送受信が完了したので、端末装置１００は、次のコマンドがセンター装置２００から送信されてくるのに対して待機する。
【００２４】
図５は、上記通信の手順に対応して、端末装置１００が行う処理手順を取り出して示したフローチャートである。図中の判断ステップにおいて、ＹはＹｅｓを、ＮはＮｏを表す。端末装置１００は、（Ｓ５０１）において、外部からの発呼信号に対応した呼出信号を受け付ける待機状態にある。センター装置２００からの発呼信号に対応した呼出信号を発呼検出部２１が受信すると、（Ｓ５０１）において、コールが３回繰り返されたことを確認し、（Ｓ５０２）に進む。（Ｓ５０２）において、センター装置２００からの発呼であることを確認し、上位処理部２０に知らせ、（Ｓ５０３）に進む。（Ｓ５０３）において、上位処理部２０はフックオフ処理を行い、応答発信部２４はダイヤルトーンを返信する。次に、コマンド受信部２２は、（Ｓ５０４）において、センター装置２００から送られてくるダイヤルトーンを受信する。コマンド受信部２２、上位処理部２０、Ｔｍａｘ検出部２３は、（Ｓ５０５）において、コマンドが規定されたもので、インターバルタイムが、Ｔｍａｘ以上であるかどうか調べ、Ｙの場合に正常受信と判定し、（Ｓ５０６）に進む。（Ｓ５０６）においては、端末装置１００は、応答発信部２４より、センター装置２００に対して、正常受信したことを通知し、（Ｓ５０７）に進み、センター装置２００からの切断信号を待つ。端末装置１００の発呼検出部２１は、（Ｓ５０７）において、切断信号を受信すると、（Ｓ５０８）に進み、切断信号発生部２５より切断信号を送信する。この段階で、センター装置２００と端末装置１００の間の回線接続は、一旦、切断される。端末装置１００は、（Ｓ５０９）に進み、受信したコマンドに対応する上位処理を開始する。そして、（Ｓ５０１）で、センター装置２００からの新たな発呼を待つ。
【００２５】
（Ｓ５０１）において、発呼検出部２１が、３回のコールを検出しないままで、コマンド受信部２２がコマンドを受信したような場合には、上位処理部２０は、異常と判断して、コマンドを無視し、センター装置２００からの正常な発呼信号を（Ｓ５０１）において待つ。
【００２６】
（Ｓ５０５）において、ダイヤルトーンが、コマンドでない場合、あるいは、インターバルタイムがＴｍａｘにならないうちに、次のダイヤルトーンを受信した場合には、上位処理部２０は、Ｔｍａｘ検出部２３と連動して、正常受信でなく異常と判断して、（Ｓ５１０）において、端末装置１００は、応答発信部２４より、センター装置２００に対して異常受信応答を行い、（Ｓ５１１）において、上位処理部２０は、受信コマンドを廃棄する。つぎに、（Ｓ５０１）に戻り待機する。異常受信応答としては、図７において後述するコマンド体系のなかで「受信内容不明」のダイヤルトーンを用いる。
【００２７】
（Ｓ５０７）において、切断信号を所定時間内に受信しない場合や、ダイヤルトーンを続けて受信した場合は、上位処理部２０が異常受信と判断して、（Ｓ５１２）に進み、受信コマンドを廃棄し、切断信号発生部２５が切断信号を送信し、応答発信部２４が、あらためて、センター装置２００宛の発呼信号とセンター装置２００の電話番号を交換機に送り、センター装置２００との間にリモート制御の電話回線を形成し、さらにセンター装置２００に異常報告を行う。つぎに、（Ｓ５０１）に戻り待機する。なお、図５のフローチャートのＳ５０２において、センター装置２００からの発呼であることを確認したが、かかる確認は必須ではない。つまり、外出先でサービスマンが、携帯用のセンター装置２００を利用して端末装置１００を制御しても良い。特に、かかる場合、確認しない方が好適であるとも考えられる。
【００２８】
本発明では、ダイヤルトーンによるコマンドを受信すると、一旦、センター装置２００と端末装置１００の間に形成された回線を切断するようにしている。従って、回線接続時間が短くでき、端末装置１００に対する悪戯や悪意の侵入の可能性を低減できる。
【００２９】
図７は、ダイヤルトーンを用いたコマンド体系の一例である。番号１〜１１の１１種類のコマンドについて、ダイヤルトーン、コマンドの内容、送信元を示す。この例では、ダイヤルトーンとして、３桁と４桁の数字を表す信号が用いられる。
【００３０】
図８は、図３に示した通信手順による、センター装置２００が行う処理手順を取り出して示したフローチャートである。センター装置２００は、端末装置１００のリモート制御を行う場合、（Ｓ８０１）がＹとなり、（Ｓ８０２）に進み、発呼部３１より発呼信号を送信する。（Ｓ８０３）において、端末装置１００からの応答を待ち、応答受信部３６の受信内容が正常受信完了であると、（Ｓ８０４）に進み、コマンド送信部３２よりコマンドを送出する。このあとタイムインターバルを設ける。つぎに、（Ｓ８０５）において、コマンドが正常受信されたかどうかを判定する。この判定は、応答受信部３６の受信内容が正常受信完了であるかないかを上位処理部３０が判定することにより行われる。正常受信応答であれば、（Ｓ８０６）に進み、切断信号発生部３３より切断信号を送出し、（Ｓ８０７）に進む。端末装置１００から切断信号が帰ってくれば、Ｙとなり、つぎのリモート制御または、コマンド送出の待機状態となる。
【００３１】
（Ｓ８０３）、（Ｓ８０５）、（Ｓ８０７）において、Ｎの場合は、なんらかの異常が発生したと判断し、上位処理部３０は、異常報告データを作成し、最初の状態に戻る。
【００３２】
なお、上記説明における切断信号は、通常は、フックオンを表す信号である。一般に終話信号と呼ばれる信号でもよい。また、リモート制御のために取り決めた切断を示す信号や符号などでも良い。
【００３３】
（実施の形態２）
上記、実施の形態１では、センター装置２００の側から切断信号を送信して、回線接続を切断するようにした。図４、図６は、端末装置１００の側から回線接続を切断するようにした場合を説明するフロー図、およびフローチャートである。図３、図５と異なる部分について、説明する。
【００３４】
図４において、端末装置１００は、正常受信完了応答を（Ｓ３０６）において行った後
、引き続き、（Ｓ４０１）において、切断信号を送信する。センター装置２００は、（Ｓ４０２）の返信確認において、正常受信を知り、（Ｓ４０３）において、切断信号を送信する。
【００３５】
また、図６において、端末装置１００は、正常受信完了応答を（Ｓ５０６）において行った後、（Ｓ５０８）に進み、切断信号を送信する。この段階で、センター装置２００と端末装置１００の間の回線接続は、一旦、切断される。端末装置１００は、（Ｓ５０９）に進み、受信したコマンドに対応する上位処理を開始する。そして、（Ｓ５０１）で、センター装置２００からの新たな発呼を待つ。
【００３６】
（その他の実施の形態と補足）
上記各実施の形態では、端末装置１００、センター装置２００の両方が、切断信号を送信するようにしたが、一方の切断信号の送信により、回線接続が切断できる場合は、端末装置１００、センター装置２００のどちらか一方が切断信号を送信するようにすれば十分である。たとえば、センター装置２００と端末装置１００の間には、交換機が入るのが通常であり、交換機が切断信号を受けて、回線接続の切断作業を行う場合は、切断信号は、交換機に対して送信することになる。したがって、図３における（Ｓ３０９）や図４における（Ｓ４０３）は、なくともよい。
【００３７】
なお、上記各実施の形態において、切断信号は、終話信号でもよいので、切断信号は、終話信号を含むものとする。
【００３８】
また、上記各実施の形態では、正常受信完了の応答後のように、コマンドの送受信が完了した後に、切断信号を送出するようにしたが、コマンドの送信後にセンター装置２００が、あるいは、コマンドの受信後に端末装置１００が、切断信号を送出するようにしてもよい。
【００３９】
上記各実施の形態では、コマンドを３桁や４桁のダイヤルトーンの一回分で表現する場合について説明した。コマンドを、３桁や４桁のダイヤルトーンの一回分で表現せず、複数回分により表わすようにしてもよい。この場合は、図５のフローチャートの（Ｓ５０８）のつぎに、コマンドを全部受信したかどうかの判定を挿入すればよい。図９は、このようにした場合であって、（Ｓ９０１）を挿入し、Ｙの場合は、一連のコマンドを受信したので、上位処理開始に移る。Ｎの場合は、コマンドの残りを受信するために、（Ｓ５０１）に進む。このようなコマンド体系は、種々の形式で構成できるが、一例としては次のようにすればよい。
【００４０】
ダイヤルトーンの最後の数字が特定の数字、たとえば、０の場合は、コマンドは完了せず、次のコマンドが続いていることを表す。最後の数字が０でないダイヤルトーンを受信するとコマンドは完了し、コマンドの実行が可能になるようにする。このようにすれば、少数のコマンドにより、多種類の制御を行わせることが可能になる。
【００４１】
図５、図６のフローチャートにおいて、（Ｓ５１０）において、センター装置２００に異常受信応答、例えば、図７の「受信内容不明」を通知した後に、端末装置１００は、切断信号を送信しても良い。また、センター装置２００は、図７の「受信内容不明」を受信した後に、センター装置２００は、切断信号を送信しても良い。また、図５のフローチャートにおいて、（Ｓ５１２）において、センター装置２００に異常受信応答、例えば、図７の「受信内容不明」を通知した後にも、端末装置１００は、切断信号を送信しても良い。また、センター装置２００は、図７の「受信内容不明」を受信した後に、センター装置２００は、切断信号を送信しても良い。
【００４２】
上記各実施の形態の説明では、端末装置１００からセンター装置２００宛に異常受信応答を行うようにしたが、センター装置２００から端末装置１００宛に行えるようにしても
よい。このためには、端末装置１００の応答発信部２４と同様に、センター装置２００に応答発信部を設けて、上位処理部３０の指示に基づき応答発信部が、異常受信応答を行うようにすればよい。
【００４３】
また、図７のコマンド体系に、異常内容を示すダイヤルトーンを複数種類設けて、どのような異常があったかを知らせることができるようにしてもよい。
【００４４】
さらに、上記したすべての実施の形態における端末装置とセンター装置の処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。
【産業上の利用可能性】
【００４５】
以上のように、本発明にかかる電話リモートシステムは、長時間回線接続されなくなり、悪戯や悪意の侵入を防止することができるという効果を有し、電話回線を介して機器の操作や制御を行う電話リモート制御システム等として有用である。
【図面の簡単な説明】
【００４６】
【図１】本発明の一実施形態による電話リモート制御システムの端末装置とセンター装置の基本的構成図
【図２】本発明の一実施形態による電話リモート制御システムの端末装置とセンター装置の各構成図
【図３】本発明の一実施形態によるセンター装置と端末装置の間の電話リモート制御手順のフロー図
【図４】本発明の一実施形態によるセンター装置と端末装置の間の別の電話リモート制御手順のフロー図
【図５】本発明の一実施形態による端末装置の電話リモート制御手順のフローチャート
【図６】本発明の一実施形態による端末装置の電話リモート制御手順の別のフローチャート
【図７】本発明の一実施形態による端末装置の電話リモート制御システムに用いるダイヤルトーンのコマンドの一例を示す図
【図８】本発明の一実施形態によるセンター装置の電話リモート制御手順のフローチャート
【図９】本発明の一実施形態による端末装置の電話リモート制御手順の別のフローチャート
【符号の説明】
【００４７】
１０  回線接続部
１１  受信処理部
１２  送信処理部
１３  判定制御部
１５  回線接続部
１６  送信処理部
１７  受信処理部
１８  判定制御部
２０  上位処理部
２１  発呼検出部
２２  コマンド受信部
２３  Ｔｍａｘ検出部
２４  応答発信部
２５  切断信号発生部
３０  上位処理部
３１  発呼部
３２  コマンド送信部
３３  切断信号発生部
３４  Ｔｍａｘ検出部
３５  発呼検出部
３６  応答受信部
１００  端末装置
２００  センター装置
【図１】
2005045708.tif 000003
【図２】
2005045708.tif 000004
【図３】
2005045708.tif 000005
【図４】
2005045708.tif 000006
【図５】
2005045708.tif 000007
【図６】
2005045708.tif 000008
【図７】
2005045708.tif 000009
【図８】
2005045708.tif 000010
【図９】
2005045708.tif 000011